(57)【特許請求の範囲】
【請求項１】
遊技盤前面に設定される遊技領域内の下部を囲み、遊技領域内を通過し落下する打球を受け止めてアウト球口に誘導する緩衝性を有する合成樹脂製のバンド部材と、前記バンド部材に沿って併設され、前記打球に帯電する静電気を除電する導電部材とを有し、前記バンド部材は上面部を前記遊技盤前面に向けて下り傾斜面に形成し、その一方、前記導電部材は前記遊技盤前面と前記バンド部材との間に介挿して該バンド部材の固定に併せて一体に遊技盤前面に固定すると同時にその上端を該バンド部材の上面より高く位置させて前記バンド部材の上面に落下し、アウト球口に向けて誘導される前記打球を前記傾斜面によって前記導電部材に誘導し接触させ、これにより前記打球に帯電する静電気を前記バンド部材上面を転がり移動する間に除電することを特徴とした弾球遊技機。
【請求項２】
請求項１に記載する弾球遊技機において、バンド部材の背面部には係入凹部を形成し、他方導電部材には前方に突出する係止爪を設けて該係止爪を前記係入凹部に係入してバンド部材と導電部材の結合をなす一方、前記バンド部材を遊技盤前面に止着して前記導電部材を挟持固定することを特徴とした弾球遊技機。
【発明の詳細な説明】
【０００１】
【発明の属する技術分野】
本発明は、弾球遊技機に関する。
【０００２】
【従来の技術】
遊技盤前面に設定される遊技領域に打ち出された打球は障害釘の間を抜けて落下し、この間に入賞口に飛入したものが入賞球となり賞球の放出に繋がり、或いは設定する遊技の始動に繋がったりする。その一方、それ以外の打球は遊技領域の下部を囲む内バンドの下半部分に受け止められ、この下半部分の円弧状をなすバンドによって最下部に集められ、これに開口するアウト球口に誘導されてアウト球となり系外に放出される。
【０００３】
遊技の設定の仕方によって、発射球（打球）の数に対してアウト球となる割合には差があるが、発射された打球の多くはアウト球となって内バンドの下半部分に落下し、アウト球口へと集められることになる。
このとき、従来の多くの弾球遊技機（主としてパチンコ機、以下単に遊技機と記す。）は遊技領域を金属製帯板からなる内バンドにより囲み形成していることから鋼球製の打球が落下してこの内バンドに多数個が衝突するときにはかなりの衝突音を発することになる。この衝突音は連続することから相当な騒音となり、遊技場の環境を悪化させる原因となっている。
【０００４】
【発明が解決しようとする課題】
従って、本発明は内バンドに落下しアウト球となる打球の衝突音の発生を抑えてこの衝突音によって発生する騒音を未然に解決しようとするものである。
前述したように、金属製の帯板からなる内バンドの場合、打球を受けたとき金属同志の衝突となるため衝突から発生する騒音を回避することは極めて困難なものとなっていた。
【０００５】
このことから、従来当該部分の内バンドを合成樹脂素材で形成し、衝突音の吸収を図ること等の方法が試みられてきたが、従来は一般に一定の形状を作るため硬質の合成樹脂素材によって形成していたことからそれ自体の剛性が衝突音の発生原因となって騒音の発生を抑えることができなかった。また加えて、電導性の金属素材によっていたとき達成されていた打球に帯電する静電気の除電ができなくなり、そのまま遊技盤背面の機構部に持ち込まれる結果、電気的諸設備に対して悪影響を及ぼす問題があった。
【０００６】
そこで、本発明はこれらの点に鑑み、遊技盤面に沿って落下し、遊技領域の下部を囲むバンド部材に衝突することによって発する打球の衝突騒音を解消するとに併せ、上記バンド部材に沿って誘導されアウト球口に集められる間に前記打球に帯電する静電気を除電し、遊技機に設備される遊技制御回路等の電気的諸装置に対する悪影響を有効に回避するようにした弾球遊技機を提供せんとするものである。
【０００７】
【課題を解決するための手段】
本発明は、上記目的を達成するため、遊技盤の前面に設定される遊技領域の下部を囲むバンド部材を緩衝性、また加えて防振性能を有する素材で形成し、前記遊技領域を落下する打球を直接該バンド部材で受け止め、これをアウト球口へと誘導する一方、前記バンド部材には導電部材を並設し、前記バンド部材に沿って誘導される打球との接触を図り、該打球に帯電する静電気を除電するようにしたことにある。
【０００８】
前記バンド部材の具体的素材としては例えばゴム或いは合成樹脂素材がある。合成樹脂素材にあっては好ましくは軟質の合成樹脂素材が適する。１つの理由は衝撃吸収性に優れること、そして打球の衝突時の衝突音の発生が小さいことにある。
また、このバンド部材については更に好ましくは反発力が小さく落下する打球を弾発しない可撓性を有するゴム乃至は軟質の合成樹脂素材が望まれる。これらの素材の特徴は防振性能を有することにあり、打球が落下し衝突する時に飛び上がって他の打球と衝突したり、或いはガラスに衝突して騒音を発するのを回避するからである。
【０００９】
また、このバンド部材は遊技盤の前面に略円形状に形成される遊技領域の略下半部を囲む円弧状に形成していずれの入賞口にも入賞することなく落下し、アウト球口に集められる打球、つまりアウト球を受け止める範囲の全体に亘って付設されることが望まれる。
【００１０】
本発明の目的は前述したように遊技領域を落下し、最終的にアウト球口に集められる打球が遊技領域の下部を劃する内バンドとの衝突によって発する騒音を解消するためなされたものであることから、バンド部材は落下衝突する範囲の全域に亘り設けられることが望まれることになる。
しかし、騒音の発生は前記内バンドが水平状態に近づくに従って、つまりアウト球口に近づくに従って鉛直に衝突して衝突が激しくなり、大きな衝突音を発することから、アウト球口の近くについてのみ設けることによって本発明の目的を達成するものとしてもよい。
【００１１】
一方、本発明において導電部材については鉄粉を表面に蒸着した合成樹脂素材、或いは鉄粉を混入し導電性をもたせた合成樹脂素材であってもよい。
また、この導電部材はバンド部材の上面部に沿って付設する導電性の線材或いはテープ状素材であってもよい。
ただ、効果の上から、またコストの面から見たときスチール板等の導電性の金属板が有利であり、適してもいる。
【００１２】
この導電部材はバンド部材に受け止められ、アウト球口に向けて誘導される打球との接触を図って打球に帯電する静電気を除電することからこの打球と接触する位置に付設されることになる。
従って、遊技領域の下部を囲むようにバンド部材が円弧状に、そして所要の長さを以って付設される場合にはこの長さに沿って並行状に付設し、打球との接触関係が多くもてるようにするとよい。
【００１３】
更にこの接触関係を良くするため、バンド部材に並設する前記導電部材をバンド部材の後方、つまり遊技盤前面との間に付設し、その一方、バンド部材の上面部を後縁側に向けて下り勾配に形成して該上面部をアウト球口に向って誘導される打球を遊技盤前面に寄り添って誘導されるようにし、打球と前記導電部材との接触が密になるようにすると、更に良好な状態が得られることになる。
【００１４】
以上の説明から明らかなように、本発明はバンド部材と導電部材とが並設される関係にあることから遊技盤前面に付設されるに当たっては両者が一体であることが望まれる。
ことに両者の位置関係を確保し、バンド部材を誘導される打球と導電部材との接触を確実にする上から、またこの位置関係を組立工程において容易にする上から両者の一体化は重要である。
【００１５】
本発明はこれを達成するため、前記バンド部材の背面部に係入凹部を形成し、他方導電部材には前方に突出する係止爪を設けて該係止爪を前記係入凹部に係入してバンド部材と導電部材の結合をなす一方、前記バンド部材を遊技盤前面に止着することによって前記導電部材を狭持固定し、両者の一体化を図り、且つ同時に遊技盤に対する取付けが行えるようにしてある。
以下、本発明を図示する発明の実施の形態に従って説明し、併せて本発明の特徴とするところを明らかにする。
【００１６】
【発明の実施の形態】
【実施例１】
図１は本発明に係る弾球遊技機の要部の正面図である。図２は図１のＡ−Ａ線拡大断面図であり、図３はバンド部材の正面図、図４は図３のＢ−Ｂ線断面図、図５は導電部材の正面図、図６は図５のＣ−Ｃ線断面図である。
図面の符号１は弾球遊技機内に装着される遊技盤であり、２，３はこの遊技盤の前面に付設される内バンドと外バンドである。
【００１７】
図面において省略されているが、本発明の遊技機として外枠があり、この外枠の一側縁に蝶番を介して前枠を開閉自由に蝶着し、更にこの前枠の背面に金属製の機構枠を備えてこの機構枠に前記遊技盤１を着脱自由に取付けるものとしてある。
【００１８】
遊技盤１はその前面に前記内外のバンド２，３を付設することによって遊技領域（遊技部）４を形成することになる。
周知のように外バンド３は発射装置から打ち出される打球Ｐを前記遊技領域４に誘導するものであり、内バンド２はこの外バンドに並設して打球を誘導すると共に、遊技領域４を囲み形成するものとなる。
【００１９】
遊技領域４には所定位置に多数の障害釘５を植設すると共に、可変表示装置や風車、或いは上記可変表示装置の表示を起動変更させる始動用入賞口６、その他の入賞口７或いは開口部８に開閉扉９を備えた大入賞口装置１０等の諸装置が設備される。
前記発射装置から発射された打球Ｐはこれらの中を通過する間に前記入賞口６，７乃至入賞装置１０に飛入してセーフ球（入賞球）となり、前記可変表示装置を可動させたり、賞球の放出を促したりする。
【００２０】
その一方、前記入賞口乃至入賞装置のいずれにも飛入しなかった打球は、遊技領域４の下部（底部）を囲む内バンドに受けられ、その最も低い部所に開設形成されるアウト球口１１（無効球口）に誘導され、これをを通して系外に放出されることになる。
【００２１】
図中１２は前記内バンド２の底部にこの金属製の帯板からなる内バンド２に入れ替えて配置したバンド部材である。また１３はこのバンド部材１２に沿って並行状に付設した金属製の導電部材である。
【００２２】
バンド部材１２は、前述したように遊技領域４に打ち出された打球Ｐが入賞することなく落下したとき、これを受ける内バンド２の下部に当たる所にあってこの内バンドに代って落下する打球を受け止めるものである。そして、更にこれを最下部の前記アウト球口１１に誘導するためのものであって落下時の衝突音の発生を防止する。
【００２３】
ここにおける上記バンド部材１２は、軟質の合成樹脂を材料にして円弧状に形成してあり、長さの全長に亘って前後の肉厚を内バンド２の幅員に等しく揃えてその上面部１２ａに落下する打球を受け止められるようにしてある。
そして、図２に示したように上記上面部１２ａを前縁部から後縁部方向にやや下り勾配となるよう傾斜を付して受け止めた打球を後縁部側に誘導して寄り添わせ、この状態で下流側、つまりアウト球口へと誘導するようにしてある。
【００２４】
尚、この実施例では図２に示したように上面部１２ａの一部を全長に亘って切削し、浅い溝１４を形成してこの溝１４に帯板状のゴム製緩衝板１５を嵌め付け、落下する打球Ｐの衝撃を吸収して衝突音の発生を更に確実に防止するようにしている。
この緩衝板１５の設置はバンド部材１２を硬質の合成樹脂で成形した場合衝突音発生防止の上で更に効果的であるが、後述するようにバンド部材１２自体が軟質で可撓性を有する場合はこれを省略してもよい。
【００２５】
軟質なバンド部材１２は、この実施例では金属素材によって所要の剛性をもたせて形成する導電部材１３と組合わせることで一定の形状を保持するようにしてあり、またこの組合せによって遊技盤に止着するとき所定の位置に容易に取付けることができるようにしてある。
【００２６】
導電部材１３は図５に示したように前記バンド部材１２の形状に合せて円弧状に形成してあり、最底部となる中央部には前記遊技盤１のアウト球口１１を囲む環状部１６を形成している。そして、下縁部の適所には先端に爪１７ａを起す係止爪１７を複数個設け、この係止爪１７を介してバンド部材１２を掛け止めるようにしてある。
【００２７】
一方、バンド部材１２は上記係止爪１７に対応させて背面側に爪１７ａを突き立てる溝１８ａをもった係入凹部１８を複数個形成し、これらの係止凹部１８に前記係止爪１７を掛け止めることで導電部材１３と組合うようにしてある。
【００２８】
バンド部材１２と導電部材１３は上記組合わせた状態で遊技盤１の前面に添わせ、バンド部材１２に穿つ透孔１９を通して釘を打ち付けることで導電部材１３と一体にして遊技盤の前面に固定される。
そして、このバンド部材１２は図１に示すように上記釘の打ち付けと、その間における係止爪１７による導電部材１３との結合によって円弧状をなす状態で固定され、遊技領域４の下部を確実に囲むことになる。
【００２９】
ところで、バンド部材１２は遊技領域４を落下する打球Ｐを受けるため内バンドの一部に組込まれるものとなっているが、このバンド部材１２は入賞口等に飛入することなく落下する打球の落下衝突音の発生を防止するため配置されるものであるからこの落下衝突音の発生範囲に設置されればよいことになる。
【００３０】
このため本実施例では図示するように内バンド２が囲む遊技領域４の左右の側縁部を繋ぐ広い範囲に亘って付設し、落下する全ての打球を受け止める構造としているが、付設範囲を狭めてアウト球口１１の両側方を囲む範囲のものとしてもよい。
つまり、具体的には図示するバンド部材１２の長さを短縮して（例えば略３分の１程の長さにして）内バンド２が水平に近くなる部分について囲むようにし、落下する打球が集中し、しかも直角に近い状態で衝突する範囲にこのバンド部材１２を配置するようにしても本発明の効果を挙げることが可能である。
【００３１】
また、このバンド部材は打球の落下時の緩衝と同時に、弾みを消去して球同志の衝突、或いは前面を被うガラスとの衝突を回避するようにすると更に有効である。そのため、このバンド部材には緩衝性と同時に衝突を吸収する防振性能を有する素材、例えば鉄粉を混入した防振ゴム等が更に適したものとなる。
【００３２】
尚、導電部材１３については図６に示したように環状部１６の下縁部１６ａから後方に向けてやや下り勾配となる片２０を延設し、前記遊技盤１に固定したときこの片がアウト球口１１の中に差し込み、アウト球となった打球がこの片の上を転がり移動するようにしてある。
【００３３】
そしてまた、上記下縁部１６ａに添うバンド部材１２の最底部分１２ｂの上面を切削して肉薄にし、前記アウト球口１１の穴形状に適合させると共に、図６に示したようにその上面を後方下り勾配に形成してバンド部材１２を誘導され流れ込むアウト球を後方に向けて流し、前記片２０上に送り出せるようにしてある。
【００３４】
図中の符号２１，２２は導電部材１３に帯電する静電気を放電するためのアース線である。一方のアース線２１は遊技盤１に開設されるアウト球口１１を通して背後に引き出し、前枠背面の機構板（図示せず）に接続し、またアース線２２は遊技盤の側部に露出する上記機構板の縁部、若しくは遊技盤の前面を被うガラス２３の金枠部分に接続し、それぞれ放電するようにしてある。
【００３５】
本発明は上述の様に構成されるもので、遊技領域４に打ち出され、落下する間に入賞口等に飛入しなかった打球はそのまま遊技領域の下部を囲むバンド部材１２の上面部１２ａに落下し、これに付設する緩衝板１５によって受け止められることになる。
従って、打球Ｐは従来のように金属板製の内バンド２に衝突することがないので衝突音を発して騒音となることがなく静かに集められ、アウト球口１１へと誘導されることになる。
【００３６】
そして同時に上記バンド部材１２を通して集められる打球Ｐは上面部１２ａを転がり移動する間にこのバンド部材に並設される導電部材１３に接触することから発射される間に、また遊技領域を通過する間に打球に帯電する静電気を放電することになる。
【００３７】
そして本実施例においては前記バンド部材１２の上面部１２ａが後傾斜に勾配が附されているため、この上面部１２ａに案内される打球は遊技盤側に寄って、即ちこの間に設置される導電部材１３に接触する状態でアウト球口１１へと誘導されることになり、その静電気の放出が更に確実なものとなっている。
【００３８】
【実施例２】
図７は本発明の他の実施例を示す要部の拡大縦断面図である。この図面は前記実施例１における図１のＡ−Ａ線と同一の位置において断面とした縦断面図であり、符号３１は遊技盤を示し、３２はこの遊技盤３１の前面を被うガラス、３３は軟質合成樹脂で形成したバンド部材であり、３４は導電部材である。
【００３９】
この実施例における特徴は前記第１の実施例と比較したときバンド部材３３の上面部３３ａに緩衝板を付設することなく、該バンド部材３３自体を軟質の合成樹脂で成形して落下する打球Ｐを直接この上面部３３ａで受け止めるようにしたことにある。その他の構成については前記第１の実施例と同一である。
【００４０】
この実施例はバンド部材３３を軟質の合成樹脂により成形することにより打球の落下の衝撃を吸収して衝突音の発生を防止したものであり、上面部３３ａに落下した打球は傾斜に従って遊技盤３１に寄り、この状態で底部のアウト球口へと誘導され、系外に放出されることになる。そして、間に並設する導電部材３４に接触することで静電気を放出することになる。
【００４１】
【実施例３】
図８及び図９は本発明の第３の実施例を示したものである。
この実施例は図示するようにバンド部材４１の上面部に形成する溝４２に緩衝板４３を嵌め付け、落下する打球Ｐをこの緩衝板で受け止める一方、該緩衝板４３の前縁部を上記上面部から不正防止片４３ａとして前方に突き出し、遊技盤４４の前面を被うガラス４５の背面に当接してピアノ線等の差し込みによる遊技の不正行為を防止するようにした例である。
【００４２】
前記溝４２はバンド部材４１の全長に亘って形成し、その底部の前後の縁を拡大して緩衝板４３の前縁の縁部に設ける突片を突き入れ係合させてこれを止着するようにしてあり、不正防止片４３ａはこの固定によってしっかりガラス４５の背面に当接してピアノ線の侵入を阻止することになる。
【００４３】
【実施例４】
次に、図１０乃至図１２は本発明を具体化した第４の実施例である。
この実施例は前記第１の実施例の変形例であって、アウト球口１１に臨むバンド部材１２の最底部にブリッジ形の囲み部５１を同一素材の軟質合成樹脂で成形し、アウト球口１１の直上から落下する打球をこの囲み部５１で受け止め直接的な飛び込みを防止するようにした例である。
【００４４】
囲み部５１に落下した打球は一旦上面に受けられた後左右に流れてバンド部材１２の上面部に落下し、囲み部５１の左右に開設する透孔５２，５２を通してアウト球口１１に入り、系外に放出される。
この流れの中で打球Ｐに帯電した静電気を除電するため、導電部材１３は図１２に示したように環状部１６を幅広に形成して前記囲み部５１の上面を通る打球と、透孔５２，５２を通ってアウト球口１１に入る打球Ｐとそれぞれ接触が可能となるようにして除電効果が達せられるようにしてある。
【００４５】
尚、この実施例においても前記第１の実施例と同様にバンド部材１２の上面部１２ａを、これに加えて囲み部５１の上面部にそれぞれ緩衝板１５，５３を止着して落下する打球を直接受け止め衝突音の発生を防止している。
【００４６】
【発明の効果】
以上、本発明を図示する実施例につき説明したが、本発明によれば遊技領域を通して落下しアウト球となる打球は従来のように金属製の内バンドに直接落下することなく、軟質で衝突音を発することのないバンド部材に受け止められ、アウト球口へと誘導されることから落下衝突による騒音を発することがなく、従って静かな環境の中で遊技を楽しむことができる。
【００４７】
また同時に、本発明では騒音の解消と共にバンド部材を案内にアウト球口に誘導される間に打球はバンド部材に並設する導電部材に接触し、帯電した静電気を除電されることから遊技盤の背後に転入したのちに静電気を放電することがなく、従って遊技盤背後に設備される遊技制御回路等の電気的諸設備に対して悪影響を与えることが有効に回避されることになる。
【図面の簡単な説明】
【図１】本発明の一使用例を説明する弾球遊技機の正面図。
【図２】図１のＡ−Ａ線に沿って断面とした拡大縦断面図。
【図３】バンド部材の正面図。
【図４】図３のＢ−Ｂ線に沿って断面とした一部省略の縦断面図。
【図５】導電部材の正面図。
【図６】図５のＣ−Ｃ線に沿って断面とした一部省略の縦断面図。
【図７】図１に示すＡ−Ａ線と同一の位置で断面とした実施例２における要部の拡大縦断面図。
【図８】図１に示すＡ−Ａ線と同一の位置で断面とした実施例３における要部の拡大縦断面図。
【図９】実施例３のバンド部材の部分拡大平面図。
【図１０】実施例４におけるバンド部材の平面図。
【図１１】実施例４におけるバンド部材の正面図。
【図１２】実施例４における導電部材の正面図。
【図１３】実施例４におけるバンド部材と導電部材を組合わせた状態の正面図。
【符号の説明】
１            遊技盤
２            内バンド
３            外バンド
４            遊技領域
６，７        入賞口
１１          アウト球口
１２，３３，４１      バンド部材
１３，３４，          導電部材
１５，４３            緩衝板
１７          係止爪
１８          係止凹部
１９          透孔
２１，２２            アース線
【図１】
0005032726.tif 000002
【図２】
0005032726.tif 000003
【図３】
0005032726.tif 000004
【図４】
0005032726.tif 000005
【図５】
0005032726.tif 000006
【図６】
0005032726.tif 000007
【図７】
0005032726.tif 000008
【図８】
0005032726.tif 000009
【図９】
0005032726.tif 000010
【図１０】
0005032726.tif 000011
【図１１】
0005032726.tif 000012
【図１２】
0005032726.tif 000013
【図１３】
0005032726.tif 000014